(57)【要約】      （修正有）【課題】指針キャップを奥側キャップ部と手前側キャップ部とに分けた場合の、両者間の芯ズレを目立ち難くする。【解決手段】軸取付部およびポインタ部を有する指針本体と、軸取付部を覆う指針キャップ５とを備え、指針キャップ５が奥側キャップ部２１と、手前側キャップ部２２とで構成され、奥側キャップ部２１の外周面２３が、手前側キャップ部２２の外周面２４よりも大きくし、奥側キャップ部２１の手前側縁部２５を、手前側キャップ部２２の奥側縁部２６よりも小さくして、奥側キャップ部２１の手前側縁部２５が、手前側キャップ部２２の奥側縁部２６の内側に隠れるようにする。更に、奥側キャップ部２１の手前側に、手前側縁部２５から外周面２３へ向けて傾斜する傾斜面部２７を形成する。【選択図】図４
2014215170.tif 000002
【特許請求の範囲】
【請求項１】
軸取付部、および、該軸取付部から半径方向へ延びるポインタ部を有する指針本体と、
該指針本体の前記軸取付部周辺を覆う指針キャップと、を備えた計器用指針構造において、
前記指針キャップが、少なくとも、奥側に位置する奥側キャップ部と、該奥側キャップ部の手前側に積層配置された手前側キャップ部と、を有する複数の部品によって構成され、
前記奥側キャップ部の外周面が、前記手前側キャップ部の外周面よりも大きくなるように形成され、
前記奥側キャップ部の、前記手前側キャップ部との境目となる手前側縁部を、前記手前側キャップ部の、前記奥側キャップ部との境目となる奥側縁部よりも小さくして、奥側キャップ部の手前側縁部が、手前側キャップ部の奥側縁部の内側に隠れるようにすると共に、
奥側キャップ部の手前側に、前記手前側縁部から外周面へ向けて傾斜する傾斜面部を形成したことを特徴とする計器用指針構造。
【請求項２】
前記奥側キャップ部と前記手前側キャップ部との境目に、光漏れ防止部を設け、
該光漏れ防止部が、前記奥側キャップ部と手前側キャップ部とに対して、互いに嵌合可能に設けた、円環状の突条、および、円形の凹溝部であることを特徴とする請求項１に記載の計器用指針構造。
【発明の詳細な説明】
【技術分野】
【０００１】
この発明は、指針キャップを奥側キャップ部と手前側キャップ部とに分けた場合の、両者間の芯ズレを目立ち難くした計器用指針構造に関するものである。
【背景技術】
【０００２】
自動車などの車両には、車室内の前部にインストルメントパネルが設置されている。このインストルメントパネルの運転席側の部分や、運転席と助手席との間の部分などには、例えば、速度やエンジン回転数や燃料残量やエンジン冷却水温などの各種の運転情報を表示するための車両用計器装置が設置されている。
【０００３】
このような車両用計器装置には、アナログ式のものとデジタル式のものとが存在しており、このうち、アナログ式の車両用計器装置には、文字板の表面に沿って回動される指針が備えられている（例えば、特許文献１参照）。
【０００４】
この指針は、少なくとも軸取付部、および、この軸取付部から半径方向へ延びるポインタ部を有する指針本体と、この指針本体の軸取付部周辺を覆う指針キャップと、を備えている。
【先行技術文献】
【特許文献】
【０００５】
【特許文献１】特開２００４−３２５２１６号公報
【発明の概要】
【発明が解決しようとする課題】
【０００６】
上記した計器用指針構造には、以下のような問題があった。
即ち、指針キャップの外観を奥側部分と手前側部分とで異ならせるようにしたい場合、例えば、奥側部分と手前側部分とを異なる色に仕上げたいような場合などに、奥側部分と手前側部分との境目の処理をうまく行わないと、境目が目立ってしまい、品質感が低下する、という問題があった。
【０００７】
そこで、例えば、指針キャップを、奥側キャップ部と手前側キャップ部とに分けて、それぞれが異なる色を有するように作成し、両者を後から組み合わせるようにすることが考えられるが、このようにした場合、即ち、奥側キャップ部と手前側キャップ部とを形状的に単純に二分割して、これらを単純に組み合わせるようにした場合、寸法公差などによって奥側キャップ部と手前側キャップ部との間に生じる芯ズレが目立ち易くなってしまうという問題が新たに発生する。
【０００８】
よって、指針キャップを高品質に仕上げるためには、奥側キャップ部と手前側キャップ部とに、高い寸法精度が要求されると共に、奥側キャップ部と手前側キャップ部との組み付けに、微妙且つ高精度な位置合わせが必要になる。
【０００９】
そこで、本発明は、上記した奥側キャップ部と手前側キャップ部との境目部分の問題点を解決することを、主な目的としている。
【課題を解決するための手段】
【００１０】
本発明は、軸取付部、および、該軸取付部から半径方向へ延びるポインタ部を有する指針本体と、該指針本体の前記軸取付部周辺を覆う指針キャップと、を備えた計器用指針構造に関する。
そして、前記指針キャップが、少なくとも、奥側に位置する奥側キャップ部と、該奥側キャップ部の手前側に積層配置された手前側キャップ部と、を有する複数の部品によって構成されるようにする。
この際、前記奥側キャップ部の外周面が、前記手前側キャップ部の外周面よりも大きくなるように形成される。
そして、前記奥側キャップ部の、前記手前側キャップ部との境目となる手前側縁部を、前記手前側キャップ部の、前記奥側キャップ部との境目となる奥側縁部よりも小さくして、奥側キャップ部の手前側縁部が、手前側キャップ部の奥側縁部の内側に隠れるようにする。
更に、奥側キャップ部の手前側に、前記手前側縁部から外周面へ向けて傾斜する傾斜面部を形成するものとしている。
【発明の効果】
【００１１】
本発明によれば、上記構成によって、以下のような作用効果を得ることができる。
即ち、奥側キャップ部の手前側縁部を、手前側キャップ部の奥側縁部よりも小さくして、奥側キャップ部の手前側縁部が、手前側キャップ部の奥側縁部の内側に隠れるようにすることにより、また、奥側キャップ部の手前側に、前記手前側縁部から外周面へ向けて傾斜する傾斜面部を形成したことにより、指針キャップの全体形状に大きな影響を与えることなく手前側キャップ部と奥側縁部との境目の形状をぼかす（視覚的に不明瞭にする）ことが可能となるため、奥側キャップ部と手前側キャップ部とを組み合わせた際に、寸法公差などによる芯ズレなどが生じたとしても、奥側キャップ部と手前側キャップ部との間の芯ズレを形状的に目立ち難くすることができるようになる。
これにより、奥側部分と手前側部分との意匠が異なる高品質な指針キャップを得ることができる。
【図面の簡単な説明】
【００１２】
【図１】本発明の実施例にかかる計器用指針構造の斜視図である。
【図２】図１の縦断面図である。
【図３】図２の部分拡大図である。
【図４】図３を分かり易く簡略化した模式図である。
【発明を実施するための形態】
【００１３】
以下、本実施の形態、および、それを具体化した実施例を、図面を用いて詳細に説明する。
図１〜図４は、この実施の形態の実施例およびその変形例を示すものである。
【実施例１】
【００１４】
＜構成＞以下、構成について説明する。
自動車などの車両には、車室内の前部にインストルメントパネルが設置されている。このインストルメントパネルの運転席側の部分や、運転席と助手席との間の部分などには、例えば、速度やエンジン回転数や燃料残量やエンジン冷却水温などの各種の運転情報を表示するための車両用計器装置が設置される。
【００１５】
このような車両用計器装置には、アナログ式のものとデジタル式のものとが存在する。このうち、アナログ式の車両用計器装置には、文字板の表面に沿って回動される指針が備えられる。
【００１６】
図１の斜視図、図２の断面図に示すように、この車両用計器装置の指針１（の計器用指針構造）は、少なくとも軸取付部２、および、この軸取付部２から半径方向へ延びるポインタ部３を有する指針本体４と、この指針本体４の軸取付部２周辺を覆う指針キャップ５と、を備えている。
【００１７】
ここで、上記についての補足説明を行うと、上記した「軸取付部２」は、図示しない文字板から突設された図示しない指針回動軸に嵌合するための軸穴を有する筒状またはスリーブ状のもの（軸受筒部）とされる。この軸取付部２は、指針本体４の基部８（軸取付部２周辺）から文字板の側へ向けて、文字板と面直に突設される。
【００１８】
なお、特に詳細には説明しないが、指針本体４の基部８は、指針キャップ５を取付けるための形状や構造を有しており、必要な場合には、バランスウェイトなども取付けられるようになっている。この場合、指針本体４の基部８は、指針キャップ５の上面に形成された（ポインタ部３の延設方向へ延びる）スリット部を通して外方へ臨むと共にポインタ部３と連続する直線状の部分を、その手前側の部分に有している。
【００１９】
上記した「半径方向」は、指針回動軸の位置を中心として、文字板の表面とほぼ平行に延びる方向のことである。
上記した「ポインタ部３」は、指針本体４の基部８から文字板の表面に沿って片持状態で延設される。
上記した「指針本体４」は、軸取付部２およびポインタ部３の他に、指針本体４の基部８に、指針回動軸に沿って文字板の裏面側から表面側へと導かれた照明用の光を、ポインタ部３の先端側へ向けて反射するための反射面９（図２参照）を、有している。この反射面９は、奥側から手前側へ向かうに従い、ポインタ部３の先端側へ進む（上がり勾配の）傾斜面とされる。そして、内部に光を通すために、指針本体４は、透明な樹脂によって構成されている。
【００２０】
上記した「指針キャップ５」は、文字通り、指針本体４の基部８およびその周辺に被せるためのキャップ状をした部品であり、上記した反射面９は、指針キャップ５の内側に隠れる部分に形成される。この場合、上記した反射面９は、指針本体４の基部８に形成された側面視ほぼ逆三角形状の抜き穴の、ポインタ部３側の斜面部分に形成されている。この指針キャップ５は、樹脂製のものとされ、不透光性となるように構成される。
なお、指針本体４の基部８には、必要に応じて、指針キャップ５を取付けるためのスペーサ１１などが介在される。この場合、スペーサ１１は、上記した抜き穴の部分に介在、設置されている。
【００２１】
そして、以上のような基本構成に対し、この実施例のものでは、以下のような構成を備えるようにしている。
【００２２】
（構成１）
図３の部分拡大図、図４の模式図に示すように、上記指針キャップ５が、少なくとも、奥側に位置する奥側キャップ部２１と、この奥側キャップ部２１の手前側に積層配置された手前側キャップ部２２と、を有する複数の部品によって構成されるようにする。
この場合に、上記奥側キャップ部２１の外周面２３が、上記手前側キャップ部２２の外周面２４よりも大きくなるように形成する。
そして、上記奥側キャップ部２１の、上記手前側キャップ部２２との境目となる手前側縁部２５を、上記手前側キャップ部２２の、上記奥側キャップ部２１との境目となる奥側縁部２６よりも小さくして、奥側キャップ部２１の手前側縁部２５が、手前側キャップ部２２の奥側縁部２６の内側に隠れるようにする。
更に、奥側キャップ部２１の手前側に、上記手前側縁部２５から外周面２３へ向けて傾斜する傾斜面部２７を形成する。
【００２３】
（補足説明１）
ここで、上記した「奥側」は、乗員側から見た時の位置を基準としている。即ち、乗員に対して遠く、且つ、文字板に近い側が奥側となる。
上記した「奥側キャップ部２１」は、最も文字板の近くに位置している指針キャップ５の構成部品である。この場合、奥側キャップ部２１は、ほぼ短円筒状のものなどとされている。そして、奥側キャップ部２１は、例えば、銀メッキなどが施されて、金属調に仕上げられる。この場合、銀メッキは、奥側キャップ部２１をメッキ液中へ浸漬（ドブ付け）することなどによって形成される。
【００２４】
上記した「手前側」は、乗員側から見た時の位置を基準としている。即ち、乗員に対して近く、且つ、文字板から遠い側が手前側となる。
上記した「手前側キャップ部２２」は、最も文字板から遠くに位置している指針キャップ５の構成部品である。この場合、手前側キャップ部２２は、奥側キャップ部２１よりも一回り小さい、ほぼ短円筒状のものなどとされている。そして、手前側キャップ部２２は、例えば、艶有りの黒色塗装などが施される。この場合、艶有りの黒色塗装は、手前側キャップ部２２に上記した銀メッキを施した上で、更に、その上から黒色塗装を単層または多層に施すことなどによって形成される。これにより、例えば、金属調の奥側部分の手前側に、艶黒の手前側部分を有する極めて質感の高い（これまでにないような高品質のまたは高級感を有する）指針キャップ５が得られるようにしている。
【００２５】
上記した「複数の部品」は、この場合には、奥側キャップ部２１と手前側キャップ部２２との２部品構成となっているが、例えば、これらの間に図示しない中間キャップ部を介在させた３部品構成としても良いし、或いは、これらの間に複数の中間キャップ部を介在させた４部品以上の構成などとしても良い。奥側キャップ部２１および手前側キャップ部２２、または、更に中間キャップ部は、基本的に、指針回動軸と同心状に設置される。
【００２６】
上記した「奥側キャップ部２１の外周面２３」は、文字通り、ほぼ短円筒状とされた奥側キャップ部２１の最も外周側に位置する面のことである。この場合には、僅かに手前細りのテーパ面などとされている。但し、奥側キャップ部２１の外周面２３は、円筒面などとしても良い。
上記した「手前側キャップ部２２の外周面２４」は、文字通り、ほぼ短円筒状とされた手前側キャップ部２２の最も外周側に位置する面のことである。この場合には、僅かに手前細りのテーパ面などとされている。但し、手前側キャップ部２２の外周面２４は、円筒面などとしても良い。
そして、「奥側キャップ部２１の外周面２３が、手前側キャップ部２２の外周面２４よりも大きくなる」ことにより、奥側キャップ部２１は手前側キャップ部２２よりも大径のものとされる。奥側キャップ部２１と手前側キャップ部２２とは、上記したように芯を合わせて積層されることにより、指針キャップ５は、段付き形状を有するものとされる。
【００２７】
上記した「境目」は、奥側キャップ部２１と手前側キャップ部２２との合わせ部分にできる、色や質感などの異なる部分である。この場合、境目は、径寸法の異なる奥側キャップ部２１と手前側キャップ部２２との段差部分として、形状的にも異ならせるようにしている。
【００２８】
上記した「奥側キャップ部２１の手前側縁部２５」は、奥側キャップ部２１の表面側の縁部（上縁部、または、上面と外周面２３とのコーナー部分）のことである。
上記した「手前側キャップ部２２の奥側縁部２６」は、手前側キャップ部２２の底面側の縁部（底縁部、または、底面と外周面２４とのコーナー部分）のことである。
【００２９】
上記した「小さく」は、文字通り、奥側キャップ部２１の手前側縁部２５を、上記手前側キャップ部２２の奥側縁部２６よりも小径にすることである。好ましくは、奥側キャップ部２１の上縁部を、手前側キャップ部２２の底縁部よりも、寸法公差分または芯ズレ分だけ小径となるようにする。この場合には、概ね０．２ミリ程度、小径にしている。
【００３０】
上記した「傾斜面部２７」は、奥側キャップ部２１の上面に形成された緩い傾斜面のことである（緩傾斜面部）。この傾斜面部２７は、奥側キャップ部２１の手前側縁部２５から、手前側キャップ部２２の奥側縁部２６を越えて、奥側キャップ部２１の外周面２３に達する単一傾斜角度のものとされる。
この傾斜面部２７の傾斜角度は、目視した時にほとんど認識できないような角度のものとするのが好ましく、即ち、傾斜面部２７の存在が意識されないようなものとするのが好ましく、例えば、文字板の面に対して概ね１°〜５°程度の小さな角度などとする。
【００３１】
なお、この場合の、奥側キャップ部２１に対する手前側キャップ部２２の取付けは、例えば、手前側キャップ部２２の底面側から突設された熱カシメ用のピン部を、奥側キャップ部２１の上面や上記したスペーサ１１に形成されたピン穴へ挿入して、ピン穴から突出されたピン部の先端部を熱溶融させて押し潰すことによってカシメ止めするようなものとする。但し、奥側キャップ部２１に対する手前側キャップ部２２の取付け手段については、上記以外としても良い。
【００３２】
（構成２）
図４に示すように、上記奥側キャップ部２１と上記手前側キャップ部２２との境目に、光漏れ防止部３１を設けるようにする。
そして、この光漏れ防止部３１が、奥側キャップ部２１と手前側キャップ部２２とに対して、互いに嵌合可能に設けられた、円環状の突条３２、および、円形の凹溝部３３によって構成されるものとする。
【００３３】
（補足説明２）
ここで、上記した「光漏れ防止部３１」は、奥側キャップ部２１と手前側キャップ部２２との一方（この場合には、奥側キャップ部２１となっている）に設けられた円環状の突条３２と、この突条３２を収容可能となるように、奥側キャップ部２１と手前側キャップ部２２との他方（この場合には、手前側キャップ部２２となっている）に設けられた円形の凹溝部３３とを嵌合させるものとなっている。この光漏れ防止部３１の突条３２と凹溝部３３とは、指針回動軸と同心状に設けられる。また、この突条３２と凹溝部３３とは、周方向へ連続するように設けられる。
【００３４】
＜作用＞以下、この実施例の作用について説明する。
上記した指針１は、文字板から突設された指針回動軸に、軸取付部２を嵌合することによって、車両用計器装置にセットされる。
【００３５】
この際、指針キャップ５は、指針本体４に対して取付けておくようにする。そして、この指針キャップとして、奥側部分と手前側部分との意匠を異ならせた高品質のものを使用する。
【００３６】
そのために、指針キャップは、奥側キャップ部２１と手前側キャップ部２２とを別部品によって構成するようにし、この奥側キャップ部２１と手前側キャップ部２２とを、指針本体４に対して取付けるようにする。
【００３７】
＜効果＞この実施例によれば、以下のような効果を得ることができる。
（作用効果１）
例えば、奥側キャップ部２１と手前側キャップ部２２とを形状的に単純に二分割して、単純に組み合わせるようにした場合には、寸法公差などによって奥側キャップ部２１と手前側キャップ部２２との間に生じる芯ズレが目立ち易くなってしまう。よって、指針キャップ５を高品質に仕上げるためには、奥側キャップ部２１および手前側キャップ部２２に、高い寸法精度が要求されると共に、奥側キャップ部２１と手前側キャップ部２２との組み付けに、微妙且つ高精度の位置合わせが必要になる。
【００３８】
これに対し、奥側キャップ部２１の手前側縁部２５を、手前側キャップ部２２の奥側縁部２６よりも小さくして、奥側キャップ部２１の手前側縁部２５が、手前側キャップ部２２の奥側縁部２６の内側に隠れるようにすることにより、また、奥側キャップ部２１の手前側に、手前側縁部２５から外周面２３へ向けて傾斜する傾斜面部２７を形成することにより、指針キャップ５の全体形状に大きな影響を与えることなく手前側キャップ部２２と奥側縁部２６との境目の形状をぼかす（視覚的に不明瞭にする）ことが可能となるため、奥側キャップ部２１と手前側キャップ部２２とを組み合わせた際に、寸法公差などによる芯ズレなどが生じたとしても、奥側キャップ部２１と手前側キャップ部２２との間の芯ズレを形状的に目立ち難くすることができるようになる。
【００３９】
これにより、奥側キャップ部２１および手前側キャップ部２２に必要な寸法精度を低くすることができると共に、奥側キャップ部２１と手前側キャップ部２２との組み付けに、微妙且つ高精度な位置合わせを行う必要がなくなり、奥側キャップ部２１と手前側キャップ部２２とを容易に位置合わせして取付けることが可能となる。そして、これにより、奥側部分と手前側部分との意匠が異なる高品質な指針キャップ５を得ることができる。
【００４０】
また、仮に、指針キャップ５の奥側部分と手前側部分とを、上記したような別部品（奥側キャップ部２１および手前側キャップ部２２）ではなく、一体部品として構成する場合には、奥側部分と手前側部分との境目に、両者を明確に区別するための溝形状を設けたり溝加工を施したりして、塗装などの際に塗り分けができるようにするなどの工夫が必要になるが、このようにした場合でも、奥側部分と手前側部分との境目を安定して綺麗に仕上げるのは容易ではなく、しかも、上記した溝形状や溝加工が、却って、奥側部分と手前側部分との境目を目立たせてしまうおそれがある。
【００４１】
これに対し、指針キャップ５を、上記したような形状を有する奥側キャップ部２１と手前側キャップ部２２とに分けて、それぞれを異なる色や質感などに形成し、後から両者を組み合わせるようにすることによって、奥側キャップ部２１と手前側キャップ部２２との境目を安定して綺麗に仕上げることができるようになり、しかも、製品歩留まりを向上することができる。
【００４２】
（作用効果２）
奥側キャップ部２１と手前側キャップ部２２との境目に光漏れ防止部３１を設けることにより、指針１を照明する光が、奥側キャップ部２１と手前側キャップ部２２との境目から不用意に漏れてしまうのを防止して、確実に遮光を行わせることができる。これにより、指針キャップ５を、奥側キャップ部２１と手前側キャップ部２２とに分けた場合の光漏れの問題を、構造的に無理なく解消することができる。
【００４３】
また、光漏れ防止部３１が、奥側キャップ部２１と手前側キャップ部２２とに対して、互いに嵌合可能に設けられた、円環状の突条３２、および、円形の凹溝部３３であることにより、奥側キャップ部２１と手前側キャップ部２２との間の狭いスペースに対して、光漏れ防止効果の高い光漏れ防止部３１を確実に設けることができる。
しかも、光漏れ防止部３１を構成する突条３２と凹溝部３３とは、奥側キャップ部２１と手前側キャップ部２２とを組み付ける際に嵌合部となるので、奥側キャップ部２１と手前側キャップ部２２との組み付け性を向上することができる。
【００４４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４５】
１    指針
２    軸取付部（軸受筒部）
３    ポインタ部
４    指針本体
５    指針キャップ
２１  奥側キャップ部
２２  手前側キャップ部
２３  外周面
２４  外周面
２５  手前側縁部
２６  奥側縁部
２７  傾斜面部
３１  光漏れ防止部
３２  突条
３３  凹溝部
【図１】
2014215170.tif 000003
【図２】
2014215170.tif 000004
【図３】
2014215170.tif 000005
【図４】
2014215170.tif 000006